(57)【要約】【課題】プレビュー画面に表示されるラベルイメージの視認性を向上可能な表示装置、表示装置の制御方法およびプログラムを提供する。【解決手段】本発明の表示装置を適用した携帯端末１は、ラベルイメージを表示するプレビュー画面を表示可能な表示画面１１ａと、ラベルに印刷する画像の並び方向を縦書きと横書きのいずれかに設定する並び方向設定部５１ａと、装置姿勢に応じて表示画面の表示を自動回転させる自動回転機能を有する表示制御部５２と、を備え、表示制御部５２は、プレビュー画面を表示しているとき、画像の並び方向に応じて自動回転機能の有効／無効を切り替える。【選択図】図４
2016173792.tif 000002
【特許請求の範囲】
【請求項１】
ラベルイメージを表示するプレビュー画面を表示可能な表示画面と、
ラベルに印刷する画像の並び方向を縦書きと横書きのいずれかに設定する並び方向設定部と、
装置姿勢に応じて前記表示画面の表示を自動回転させる自動回転機能を有する表示制御部と、を備え、
前記表示制御部は、
前記プレビュー画面を表示しているとき、前記画像の並び方向に応じて前記自動回転機能の有効／無効を切り替えることを特徴とする表示装置。
【請求項２】
前記表示画面は、前記ラベルの編集を行うラベル編集画面と、前記プレビュー画面と、を切り替えて表示し、
前記表示制御部は、
前記ラベル編集画面を表示しているとき、前記画像の並び方向に関わらず前記自動回転機能を有効とすることを特徴とする請求項１に記載の表示装置。
【請求項３】
前記自動回転機能は、前記装置姿勢に応じて縦画面と横画面との間で画面方向を変更するものであり、
前記表示制御部は、
前記ラベル編集画面から前記プレビュー画面に画面切り替えが行われた場合であって、前記ラベル編集画面で画面切り替え操作が行われたときの画面方向と前記プレビュー画面の画面方向が同じ場合、前記ラベル編集画面の上下方向と、前記プレビュー画面の前記ラベルイメージに表示される画像の上下方向とが一致するように、前記画像の並び方向に応じて前記プレビュー画面における前記ラベルイメージの配置方向を変更することを特徴とする請求項２に記載の表示装置。
【請求項４】
前記ラベル編集画面は、前記ラベルの編集結果を示す編集領域を含み、
前記表示制御部は、
前記ラベル編集画面を表示しているとき、前記画像の並び方向に関わらず前記ラベル編集画面における前記編集領域の配置を固定することを特徴とする請求項３に記載の表示装置。
【請求項５】
前記表示制御部は、
前記画像の並び方向が横書きに設定され且つ縦画面の前記ラベル編集画面で画面切り替え操作が行われた場合、および前記画像の並び方向が縦書きに設定され且つ横画面の前記ラベル編集画面で画面切り替え操作が行われた場合、前記自動回転機能を有効とし、
前記画像の並び方向が縦書きに設定され且つ縦画面の前記ラベル編集画面で画面切り替え操作が行われた場合、および前記画像の並び方向が横書きに設定され且つ横画面の前記ラベル編集画面で画面切り替え操作が行われた場合、前記自動回転機能を無効とすることを特徴とする請求項３または４に記載の表示装置。
【請求項６】
ラベルイメージを表示するプレビュー画面を表示可能な表示画面と、装置姿勢に応じて前記表示画面の表示を自動回転させる自動回転機能と、を有する表示装置の制御方法であって、
ラベルに印刷する画像の並び方向を縦書きと横書きのいずれかに設定する並び方向設定ステップと、
前記プレビュー画面を表示しているとき、前記画像の並び方向に応じて前記自動回転機能の有効／無効を切り替える表示制御ステップと、を実行することを特徴とする表示装置の制御方法。
【請求項７】
コンピューターに、請求項６に記載の表示装置の制御方法における各ステップを実行させるためのプログラム。
【発明の詳細な説明】
【技術分野】
【０００１】
本発明は、文字や図形の並び方向に応じてプレビュー表示を行う表示装置、表示装置の制御方法およびプログラムに関する。
【背景技術】
【０００２】
従来、この種の技術として特許文献１が知られている。当該特許文献１には、文章を縦書きで表示するか横書きで表示するかの並び方向（表示方向）と、縦書きおよび横書き表示時の書式と、を設定可能であり、ユーザーの指示に基づいて並び方向を変換する際、同時に書式変換を行う文章表示装置が開示されている。
【０００３】
一方、文字や図形の並び方向の設定が可能であり、且つプレビュー表示を行う端末として、ラベルを作成するテープ印刷装置と接続されて用いられるタブレット端末が知られている。この種のタブレット端末は、スマートフォンなど小型の表示画面でも操作できるように、ラベルの編集を行うラベル編集画面と、ラベルイメージを表示するプレビュー画面と、を切り替えて表示する構成が一般的である。また、この種のタブレット端末は、装置姿勢に応じて表示画面の表示を自動回転させる自動回転機能を有している。
【先行技術文献】
【特許文献】
【０００４】
【特許文献１】特開２００５−１５７６５９号公報
【発明の概要】
【発明が解決しようとする課題】
【０００５】
ところで、上記のようなタブレット端末では、ラベル編集画面で編集を行った後、プレビュー画面に切り替えて装置姿勢を９０度回転させると、プレビュー画面の表示も自動回転する。ところが、プレビュー画面（表示画面）はアスペクト比が偏っているものが殆どであり、ラベルは長尺状の印刷媒体であるため、自動回転機能によって、ラベルイメージの全体が確認できなくなる場合がある。そこで、このような不具合を解決すべく、プレビュー画面では自動回転機能を無効にすることが考えられるが、ラベル編集画面からプレビュー画面に切り替えられたときに、ラベル編集画面に表示される画像（編集項目ボタンなど）の上下方向と、ラベルイメージに表示される画像（文字や図形など）の上下方向とが異なると、ラベルイメージを確認しづらいといった課題がある。これに対し、上記特許文献１に記載の発明は、操作性向上を課題しており、画面の視認性向上に関しての言及はない。
【０００６】
本発明は、上記の問題点に鑑み、プレビュー画面に表示されるラベルイメージの視認性を向上可能な表示装置、表示装置の制御方法およびプログラムを提供することを目的とする。
【課題を解決するための手段】
【０００７】
本発明の表示装置は、ラベルイメージを表示するプレビュー画面を表示可能な表示画面と、ラベルに印刷する画像の並び方向を縦書きと横書きのいずれかに設定する並び方向設定部と、装置姿勢に応じて表示画面の表示を自動回転させる自動回転機能を有する表示制御部と、を備え、表示制御部は、プレビュー画面を表示しているとき、画像の並び方向に応じて自動回転機能の有効／無効を切り替えることを特徴とする。
【０００８】
本発明の表示装置の制御方法は、ラベルイメージを表示するプレビュー画面を表示可能な表示画面と、装置姿勢に応じて表示画面の表示を自動回転させる自動回転機能と、を有する表示装置の制御方法であって、ラベルに印刷する画像の並び方向を縦書きと横書きのいずれかに設定する並び方向設定ステップと、プレビュー画面を表示しているとき、画像の並び方向に応じて自動回転機能の有効／無効を切り替える表示制御ステップと、を実行することを特徴とする。
【０００９】
本発明の構成によれば、プレビュー画面を表示しているとき、画像の並び方向に応じて自動回転機能の有効／無効を切り替えるため、自動回転機能によって、ラベルイメージの全体が確認できなくなる不具合を解消できる。例えば、画像の並び方向が縦書きの場合であって、プレビュー画面が縦画面となる装置姿勢から、プレビュー画面が横画面となる装置姿勢に回転された場合、自動回転機能を「有効」とすると、ラベルイメージの先端部しか表示されない虞があるが、自動回転機能を「無効」とすることで、このような不具合を解消できる。
なお、画像の並び方向とは、画像を書き進める方向（「縦書き」または「横書き」）を指す。また、画像とは、文字や記号などのキャラクターを含む概念である。この場合、１個のキャラクターを１画像と看做しても良いし、複数個のキャラクターを１画像と看做しても良い。
また、縦画面／横画面とは、表示画面の方向ではなく、プレビュー画面など表示画面に表示される画面の画面方向を指す。但し、表示画面の略全体にプレビュー画面が表示されるような場合は、表示画面の画面方向とプレビュー画面の画面方向は等しくなる。
【００１０】
上記の表示装置において、表示画面は、ラベルの編集を行うラベル編集画面と、プレビュー画面と、を切り替えて表示し、表示制御部は、ラベル編集画面を表示しているとき、画像の並び方向に関わらず自動回転機能を有効とすることを特徴とする。
【００１１】
本発明の構成によれば、ユーザーの好みに応じて、ラベル編集画面を「縦画面」または「横画面」にして、ラベルの編集を行うことができる。
【００１２】
上記の表示装置において、自動回転機能は、装置姿勢に応じて縦画面と横画面との間で画面方向を変更するものであり、表示制御部は、ラベル編集画面からプレビュー画面に画面切り替えが行われた場合であって、ラベル編集画面で画面切り替え操作が行われたときの画面方向とプレビュー画面の画面方向が同じ場合、ラベル編集画面の上下方向と、プレビュー画面のラベルイメージに表示される画像の上下方向とが一致するように、画像の並び方向に応じてプレビュー画面におけるラベルイメージの配置方向を変更することを特徴とする。
【００１３】
本発明の構成によれば、ラベル編集画面に表示される画像の上下方向と、画面方向を維持したままプレビュー画面に切り替えられたときのラベルイメージに表示される画像の上下方向とが一致するため、設定した画像の並び方向によって、ラベルイメージが確認しづらくなる不具合を解消できる。
なお、縦画面とは、ラベル編集画面またはプレビュー画面の長辺方向が上下方向（各画面に表示される画像の上下方向）となる状態を指し、横画面とは、ラベル編集画面またはプレビュー画面の長辺方向が左右方向となる状態を指す。
また、プレビュー画面におけるラベルイメージの配置方向とは、プレビュー画面の長辺方向とラベルイメージの長手方向とが一致する「長辺置き」と、プレビュー画面の短辺方向とラベルイメージの長手方向とが一致する「短辺置き」のいずれかを指す。
【００１４】
上記の表示装置において、ラベル編集画面は、ラベルの編集結果を示す編集領域を含み、表示制御部は、ラベル編集画面を表示しているとき、画像の並び方向に関わらずラベル編集画面における編集領域の配置を固定することを特徴とする。
【００１５】
本発明の構成によれば、ラベル編集画面については、画像の並び方向に関わらず編集領域の配置を固定するため、「縦書き」、「横書き」用でそれぞれラベル編集画面のレイアウトデータを用意する必要がなく、ソフトウェア容量の増加および動作速度の低下を防止できる。
【００１６】
上記の表示装置において、表示制御部は、画像の並び方向が横書きに設定され且つ縦画面のラベル編集画面で画面切り替え操作が行われた場合、および画像の並び方向が縦書きに設定され且つ横画面のラベル編集画面で画面切り替え操作が行われた場合、自動回転機能を有効とし、画像の並び方向が縦書きに設定され且つ縦画面のラベル編集画面で画面切り替え操作が行われた場合、および画像の並び方向が横書きに設定され且つ横画面のラベル編集画面で画面切り替え操作が行われた場合、自動回転機能を無効とすることを特徴とする。
【００１７】
本発明の構成によれば、プレビュー画面を表示しているときの画面方向の変更（装置姿勢の回転）によって、ラベルイメージの全体が確認できなくなる不具合を解消できる。例えば、縦画面のラベル編集画面で縦書きの編集が行われた場合は、ラベル編集画面とラベルイメージに表示される画像の上下方向を揃えるべく縦画面のプレビュー画面に長辺置きのラベルイメージを表示するが、自動回転機能を「有効」とすると、短辺置きの配置となりラベルイメージの先端部しか表示されない虞があるため、自動回転機能を「無効」とすることで、このような不具合を解消できる。
【００１８】
本発明のプログラムは、コンピューターに、上記の表示装置の制御方法における各ステップを実行させることを特徴とする。
【００１９】
このプログラムを用いることにより、プレビュー画面に表示されるラベルイメージの視認性を向上可能な表示装置の制御方法を実現できる。
【図面の簡単な説明】
【００２０】
【図１】本発明の一実施形態に係る印刷システムの構成図である。
【図２】携帯端末のハードウェア構成を示すブロック図である。
【図３】テープ印刷装置のハードウェア構成を示すブロック図である。
【図４】携帯端末の機能構成を示すブロック図である。
【図５】（ａ）は、「縦画面」のラベル編集画面において「横書き」が設定された場合の表示例を示す図であり、（ｂ）は、「縦画面」のラベル編集画面において「縦書き」が設定された場合の表示例を示す図である。
【図６】（ａ）は、「横画面」のラベル編集画面において「横書き」が設定された場合の表示例を示す図であり、（ｂ）は、「横画面」のラベル編集画面において「縦書き」が設定された場合の表示例を示す図である。
【図７】（ａ）は、「縦画面」且つ「横書き」設定のラベル編集画面から画面切り替えが行われた場合の「縦画面」のプレビュー画面の表示例を示す図であり、（ｂ）は、「縦画面」且つ「横書き」設定のラベル編集画面から画面切り替えが行われた場合の「横画面」のプレビュー画面の表示例を示す図である。
【図８】（ａ）は、「縦画面」且つ「縦書き」設定のラベル編集画面から画面切り替えが行われた場合の「縦画面」のプレビュー画面の表示例を示す図であり、（ｂ）は、「縦画面」且つ「縦書き」設定のラベル編集画面から画面切り替えが行われた場合の「横画面」のプレビュー画面の表示例を示す図である。
【図９】（ａ）は、「横画面」且つ「横書き」設定のラベル編集画面から画面切り替えが行われた場合の「横画面」のプレビュー画面の表示例を示す図であり、（ｂ）は、「横画面」且つ「横書き」設定のラベル編集画面から画面切り替えが行われた場合の「縦画面」のプレビュー画面の表示例を示す図である。
【図１０】（ａ）は、「横画面」且つ「縦書き」設定のラベル編集画面から画面切り替えが行われた場合の「横画面」のプレビュー画面の表示例を示す図であり、（ｂ）は、「横画面」且つ「縦書き」設定のラベル編集画面から画面切り替えが行われた場合の「縦画面」のプレビュー画面の表示例を示す図である。
【発明を実施するための形態】
【００２１】
以下、添付の図面を参照して、本発明の表示装置、表示装置の制御方法およびプログラムについて説明する。本実施形態では、本発明の表示装置を、携帯型の情報処理端末（以下、「携帯端末１」と称する）に適用した場合を例示する。また、携帯端末１は、長尺状の印刷媒体（以下、「印刷テープＴ」と称する）に印刷を行ってラベルを作成するテープ印刷装置３と通信可能であるものとする。
【００２２】
図１は、本発明の一実施形態に係る印刷システムＳＹの構成図である。同図に示すように、印刷システムＳＹは、携帯端末１およびテープ印刷装置３を備えている。
【００２３】
携帯端末１は、各種タブレット端末、スマートフォン（携帯電話）、ノート型パソコンなどによって実現される。同図では、携帯端末１として、タッチパネル１１を搭載したスマートフォンを用いた例を示している。携帯端末１は、Ｂｌｕｅｔｏｏｔｈ（登録商標）などの無線通信によってテープ印刷装置３と通信する。なお、携帯端末１とテープ印刷装置３間の通信は、ＵＳＢ通信やＥｔｈｅｒｎｅｔ（登録商標）などの有線通信規格を用いても良い。
【００２４】
テープ印刷装置３は、長尺状の印刷テープＴおよびインクリボンが収容されたテープカートリッジ３１が装着され、携帯端末１から印刷データを受信すると、テープカートリッジ３１から印刷テープＴを繰り出しつつ、印刷処理および切断処理を行う。印刷テープＴの印刷済み部分は、切断処理後、テープ排出口３２から排出され、ラベルとして用いられる。
【００２５】
次に、図２および図３を参照し、携帯端末１およびテープ印刷装置３のハードウェア構成について説明する。図２は、携帯端末１のブロック図である。携帯端末１は、ハードウェア構成として、タッチパネル１１、Ｂｌｕｅｔｏｏｔｈ通信部１２、内臓メモリー１３および携帯端末側制御部１４を備えている。
【００２６】
タッチパネル１１は、表示画面１１ａおよび位置入力部１１ｂを含む。表示画面１１ａは、液晶パネルなどによって実現され、後述するラベル編集画面Ｄ１およびプレビュー画面Ｄ２など各種情報を表示する（図５〜図１０参照）。また、本実施形態の表示画面１１ａは、長辺と短辺のアスペクト比が偏っている（例えば、１６：９、１６：１０、３：２など）。一方、位置入力部１１ｂは、抵抗膜方式または静電容量方式によってユーザーの操作位置を検出する。Ｂｌｕｅｔｏｏｔｈ通信部１２は、Ｂｌｕｅｔｏｏｔｈ通信規格に基づき、テープ印刷装置３とペアリング処理を行い接続確立した後、無線通信を行う。
【００２７】
内臓メモリー１３は、例えばフラッシュＲＯＭ（登録商標）によって実現され、ＯＳ（Operating  System）１３ａや、専用アプリケーション１３ｂを記憶する。専用アプリケーション１３ｂは、ラベルの編集やテープ印刷装置３に印刷指示を行うためのスマートフォン用アプリケーションである。上記のラベル編集画面Ｄ１およびプレビュー画面Ｄ２は、当該専用アプリケーション１３ｂの一機能として表示される画面であり、ユーザーの操作にしたがって切り替え表示される。
【００２８】
携帯端末側制御部１４は、ＣＰＵ（Central  Processing  Unit）およびＲＡＭ（Random  Access  Memory）等によって実現され、上記の各部（符号１１ないし符号１３）と連携し、印刷データの生成処理やテープ印刷装置３との通信制御を行う。
【００２９】
図３は、テープ印刷装置３のブロック図である。テープ印刷装置３は、ハードウェア構成として、Ｂｌｕｅｔｏｏｔｈ通信部３３、カートリッジ検出部３４、印刷機構３５および印刷装置側制御部３６を備えている。
【００３０】
Ｂｌｕｅｔｏｏｔｈ通信部３３は、Ｂｌｕｅｔｏｏｔｈ通信規格に基づいて携帯端末１と通信を行う。カートリッジ検出部３４は、テープカートリッジ３１に収容された印刷テープＴに関するテープ情報を検出する。テープ情報としては、印刷テープＴのテープ幅、テープ種類、テープ色、インク色などを検出する。検出方法としては、テープカートリッジ３１に貼付または印刷されたコード画像（バーコードや２次元コードなど）やＲＦＩＤ（Radio  Frequency  Identification）を読み取る方法、テープカートリッジ３１に形成された１以上の孔の有無を検出する方法、などが考えられる。なお、検出したテープ情報（例えば、テープ幅）は、ラベルの編集項目として「フォント変更」が選択された場合のフォントサイズの選択肢表示、プレビュー画面Ｄ２におけるラベルイメージ８０（図７〜図１０参照）の表示などに反映される。
【００３１】
印刷機構３５は、印刷ヘッド４１、テープ送りモーター４２、カッターモーター４３およびテープカッター４４を含む。印刷ヘッド４１は、サーマルヘッドであり、繰り出された印刷テープＴおよびインクリボンを、プラテンローラー（図示省略）との間に挟み込んで印刷を行う。テープ送りモーター４２は、繰り出された印刷テープＴを、印刷ヘッド４１からテープ排出口３２（図１参照）に向けて搬送する。カッターモーター４３は、テープカッター４４を駆動し、テープ送りを一旦停止した状態で、印刷テープＴの印刷済み部分をテープ幅方向に切断する。
【００３２】
印刷装置側制御部３６は、ＣＰＵやＲＡＭ等によって実現され、上記の各部（符号３３ないし符号３５）と連携し、携帯端末１との通信制御や印刷制御を行う。具体的には、テープカートリッジ３１の装着時、携帯端末１との通信確立時または携帯端末１からの問い合わせがあったとき、Ｂｌｕｅｔｏｏｔｈ通信部３３を介してカートリッジ検出部３４によって検出したテープ情報を携帯端末１に送信する。また、携帯端末１からＢｌｕｅｔｏｏｔｈ通信部３３を介して印刷データを受信し、当該印刷データに基づいて印刷機構３５を制御する。
【００３３】
次に、図４を参照し、携帯端末１の機能構成について説明する。携帯端末１は、機能構成として、ラベル編集部５１、表示制御部５２および出力部５３を備えている。これらの機能は、主に上記の専用アプリケーション１３ｂ（図２参照）によって提供される。
【００３４】
ラベル編集部５１は、ユーザーによるタッチパネル１１の操作に基づき、ラベルの編集を行う。また、ラベル編集部５１は、並び方向設定部５１ａを含む。当該並び方向設定部５１ａは、ラベルに印刷する画像の並び方向（画像を書き進める方向）を設定する（図５，図６の並び方向設定ラジオボタン７４参照）。具体的には、画像を縦方向に並べる「縦書き」と、画像を横方向に並べる「横書き」と、のいずれかを設定する。なお、「画像」とは、文字や図形を含む概念である。
【００３５】
表示制御部５２は、表示画面１１ａの表示制御を行うものであり、携帯端末１の端末姿勢（表示装置の装置姿勢）に応じて表示画面１１ａの表示を自動回転させる自動回転機能を有している。つまり、ラベル編集画面Ｄ１またはプレビュー画面Ｄ２に表示される画像がユーザーに対して正立するように（鉛直方向に近づくように）、長辺方向が上下方向となる「縦画面」と、長辺方向が左右方向となる「横画面」との間で、画面方向を切り替える。
【００３６】
表示制御部５２は、ラベルの編集を行うラベル編集画面Ｄ１を表示しているとき、並び方向設定部５１ａによって設定された画像の並び方向に関わらず自動回転機能を有効とする。つまり、ラベル編集画面Ｄ１は、画像の並び方向によらず、装置姿勢に応じて「縦画面」（図５参照）と、「横画面」（図６参照）と、の間で画面方向が変更される。一方、表示制御部５２は、プレビュー画面Ｄ２を表示しているとき、設定された画像の並び方向に応じて自動回転機能の有効／無効を切り替える。この点については、図７〜図１０を参照し、具体例を挙げて後述する。
【００３７】
また、表示制御部５２は、携帯端末１の装置姿勢が維持されたまま、ラベル編集画面Ｄ１からプレビュー画面Ｄ２に切り替えられた場合、ラベル編集画面Ｄ１の上下方向（ラベル編集画面Ｄ１の編集項目表示領域６２に表示される各画像の上下方向）と、ラベルイメージ８０に表示される画像の上下方向とが一致するように、設定された画像の並び方向に応じてプレビュー画面Ｄ２におけるラベルイメージ８０の配置方向を変更する。ここで、ラベルイメージ８０の配置方向は、プレビュー画面Ｄ２の長辺方向とラベルイメージ８０の長手方向とが一致する「長辺置き」と、プレビュー画面Ｄ２の短辺方向とラベルイメージ８０の長手方向とが一致する「短辺置き」とのいずれかに変更する。この点についても、図７〜図１０を参照して後述する。
【００３８】
出力部５３は、ユーザーによる印刷指示操作に基づき、ラベル編集部５１の編集結果に基づく印刷データをテープ印刷装置３に出力する。なお、ユーザーによる印刷指示は、ラベル編集画面Ｄ１および／またはプレビュー画面Ｄ２に表示される印刷指示ボタン（図５〜図１０では、図示省略）の押下、または携帯端末１に設けられる所定の操作子を操作することによって行う。
【００３９】
次に、図５および図６を参照し、ラベル編集画面Ｄ１の構成について説明する。両図に示すように、ラベル編集画面Ｄ１は、表示画面１１ａの略全体に表示される画面である。同様に、後述するプレビュー画面Ｄ２も、表示画面１１ａの略全体に表示される画面である（図７〜図１０参照）。したがって、ラベル編集画面Ｄ１およびプレビュー画面Ｄ２のアスペクト比も偏っている。
【００４０】
図５（ａ）は、「縦画面」のラベル編集画面Ｄ１において、「横書き」が設定された場合の表示例を示す図である。ラベル編集画面Ｄ１は、「縦画面」の場合、画面上部の編集領域６１と、画面中央部の編集項目表示領域６２と、画面下部の画面切り替えボタン６３と、を含む。画面切り替えボタン６３は、表示画面１１ａの表示をプレビュー画面Ｄ２に切り替えるための操作子である。
【００４１】
編集領域６１は、ラベルの編集結果を示す簡易プレビュー表示領域であり、印刷テープＴのテープ幅を編集領域６１の領域幅と看做したテープイメージ７１と、文字や図形などの印刷画像（同図の例では、禁止マークの図形と「禁止」の文字）を模した印刷画像イメージ７２と、を表示する。
【００４２】
編集項目表示領域６２は、フォント変更ボタン７３、並び方向設定ラジオボタン７４、画像挿入ボタン７５、バーコード／２次元コード挿入ボタン７６および手書き入力ボタン７７を表示する。フォント変更ボタン７３は、その押下によって不図示のフォント変更画面が表示される。フォント変更画面では、フォントサイズ、フォント種類、フォント飾りなどが変更される。並び方向設定ラジオボタン７４は、その押下によって画像の並び方向（「横書き」、「縦書き」のいずれか）が選択される（並び方向設定部５１ａ，図４参照）。
【００４３】
画像挿入ボタン７５は、その押下によって不図示の画像編集画面が表示される。画像編集画面では、イラストやロゴなどの画像が選択または作成される。バーコード／２次元コード挿入ボタン７６は、その押下によって不図示のバーコード／２次元コード入力画面が表示される。バーコード／２次元コード入力画面では、バーコードや２次元コード（ＱＲコードなど）に変換する情報が入力される。手書き入力ボタン７７は、その押下によって編集領域６１にペンマークが表示され、当該ペンマークをユーザーが指でドラッグさせることにより、フリーハンド入力が行われる。なお、編集項目としては、編集項目表示領域６２に示したこれらの項目以外に、段落作成、枠設定、地紋設定など、一般的なテープ印刷装置（ラベルライター）に搭載される編集機能を設けても良い。
【００４４】
図５（ｂ）は、「縦画面」のラベル編集画面Ｄ１において、「縦書き」が設定された場合の表示例を示す図である。この場合、図５（ａ）と比較し、編集領域６１に表示される印刷画像イメージ７２の表示方向（印刷画像イメージ７２として表示される画像の並び方向）が９０度回転された状態となる。その他、ラベル編集画面Ｄ１における編集領域６１、編集項目表示領域６２および画面切り替えボタン６３の配置は変化しない。このように表示制御部５２は、ラベル編集画面Ｄ１を表示しているとき、端末姿勢が変化しない限り、画像の並び方向に関わらず編集領域６１の配置を固定する。
【００４５】
一方、図６（ａ）は、「横画面」のラベル編集画面Ｄ１において、「横書き」が設定された場合の表示例を示す図である。「横画面」の場合、ラベル編集画面Ｄ１は、画面上部の編集領域６１と、画面下部右側の編集項目表示領域６２と、画面下部左側の画面切り替えボタン６３と、を含む。このように、「横画面」のラベル編集画面Ｄ１は、「縦画面」の場合（図５（ａ）参照）と比較してレイアウトが異なり、編集項目表示領域６２に表示可能な編集項目が少なくなる。なお、非表示の編集項目については、画面スクロールにより表示可能である。また、「横画面」となったことに伴い、「縦画面」の場合と比較して編集領域６１の長手方向（テープイメージ７１の長手方向）が長くなる。このように「横画面」は、テープイメージ７１の全体を把握しやすいレイアウトとなっている。なお、編集領域６１の符号７１ｅは、テープイメージ７１の後端を示している。
【００４６】
図６（ｂ）は、「横画面」のラベル編集画面Ｄ１において、「縦書き」が設定された場合の表示例を示す図である。この場合も、図６（ａ）と比較し、編集領域６１に表示される印刷画像イメージ７２の表示方向が９０度回転された状態となる点だけが異なり、その他、ラベル編集画面Ｄ１における編集領域６１、編集項目表示領域６２および画面切り替えボタン６３の配置は変化しない。
【００４７】
次に、図７〜図１０を参照し、ラベル編集画面Ｄ１からプレビュー画面Ｄ２への画面切り替え、および端末姿勢の回転に伴う表示制御について説明する。図７は、「縦画面」且つ「横書き」設定のラベル編集画面Ｄ１から画面切り替えが行われた場合の、「縦画面」のプレビュー画面Ｄ２および「横画面」のプレビュー画面Ｄ２の表示例を示す図である。これに対し、図８は、ラベル編集画面Ｄ１における画像の並び方向の設定が「縦書き」となっている場合の表示例を示している。
【００４８】
例えば、図７（ａ），図８（ａ）に示すように、ラベル編集画面Ｄ１で画面切り替え操作が行われたとき（画面切り替えボタン６３が押下されたとき）の画面方向のまま（「縦画面」のまま）プレビュー画面Ｄ２が表示されている場合は、ラベル編集画面Ｄ１の上下方向と、ラベルイメージ８０に表示される画像の上下方向とが一致するようにラベルイメージ８０を配置する。したがって、図７（ａ）に示すように「横書き」設定の場合は、ラベルイメージ８０の長手方向が表示画面１１ａ（プレビュー画面Ｄ２）の短辺と平行となるように「短辺置き」で配置し、図８（ａ）に示すように「縦書き」設定の場合は、ラベルイメージ８０の長手方向が表示画面１１ａの長辺と平行となるように「長辺置き」で配置する。
【００４９】
このように、画像の並び方向に応じてラベルイメージ８０の配置方向を変更することで、ラベル編集画面Ｄ１に表示される画像の上下方向と、プレビュー画面Ｄ２のラベルイメージ８０に表示される画像の上下方向とが一致するため、ラベルイメージ８０が確認しやすいといったメリットがある。なお、プレビュー画面Ｄ２では、ラベルイメージ８０の幅方向について、表示画面１１ａ（プレビュー画面Ｄ２）の略中央となるようにラベルイメージ８０を配置する。
【００５０】
一方、ラベル編集画面Ｄ１で画面切り替え操作が行われたとき（画面切り替えボタン６３が押下されたとき）の装置姿勢から略９０度回転された装置姿勢でプレビュー画面Ｄ２が表示されている場合は、表示画面１１ａの長辺方向と、ラベルイメージ８０の長手方向と、が一致するように、画像の並び方向に応じて自動回転機能の有効／無効を切り替える。つまり、プレビュー画面Ｄ２がラベル編集画面Ｄ１と同じ画面方向のときにラベルイメージ８０が「短辺置き」となり、画面方向の変更によってラベルイメージ８０が「長辺置き」に変わるような場合に自動回転機能を「有効」とする。
【００５１】
例えば、プレビュー画面Ｄ２が図７（ａ）の「縦画面」の状態から、図７（ｂ）の「横画面」の状態となるように携帯端末１が回転された場合は、ラベルイメージ８０が「短辺置き」から「長辺置き」に変わるため、プレビュー画面Ｄ２の表示も回転させる。これに対し、プレビュー画面Ｄ２が図８（ａ）の「縦画面」の状態から、図８（ｂ）の「横画面」の状態となるように携帯端末１が回転された場合は、回転前の状態でラベルイメージ８０が「長辺置き」であったため、プレビュー画面Ｄ２も回転を禁止する（自動回転機能を「無効」とし、ラベルイメージ８０を「長辺置き」のままとする）。このように、画像の並び方向に応じて自動回転機能の有効／無効を切り替えることで、自動回転機能によって「長辺置き」から「短辺置き」に変わってしまい、ラベルイメージ８０の全体が確認できなくなるといった不具合を解消できる。
【００５２】
なお、プレビュー画面Ｄ２を表示している状態で装置姿勢が回転された場合でも（例えば、図７（ｂ）「横画面」の状態から、図７（ａ）の「縦画面」の状態に戻されても）、自動回転機能は「有効」のままとなる。つまり、プレビュー画面Ｄ２における自動回転機能の有効／無効は、ラベル編集画面Ｄ１で画面切り替え操作が行われたときの画像の並び方向の設定によって定まる。
【００５３】
続いて、図９および図１０を参照し、「横画面」のラベル編集画面Ｄ１から画面切り替えが行われた場合の表示制御について説明する。図９は、「横書き」設定のラベル編集画面Ｄ１からの画面切り替えを示し、図１０は、「縦書き」設定のラベル編集画面Ｄ１からの画面切り替えを示している。
【００５４】
この場合、図９（ａ），図１０（ａ）に示すように、ラベル編集画面Ｄ１で画面切り替え操作が行われたときの画面方向のまま（「横画面」のまま）プレビュー画面Ｄ２が表示されている場合は、ラベル編集画面Ｄ１の上下方向と、ラベルイメージ８０に表示される画像の上下方向とが一致するようにラベルイメージ８０を配置する。したがって、図９（ａ）に示すように、「横書き」設定の場合は、ラベルイメージ８０の長手方向が表示画面１１ａの長辺と平行となるように「長辺置き」で配置し、図１０（ａ）に示すように「縦書き」設定の場合は、ラベルイメージ８０の長手方向が表示画面１１ａの短辺と平行となるように「短辺置き」で配置する。つまり、図７（ａ），図８（ａ）の「縦画面」のラベル編集画面Ｄ１からの画面切り替えの場合とは、逆の配置となる。
【００５５】
一方、プレビュー画面Ｄ２が図９（ａ）の「横画面」の状態から、図９（ｂ）の「縦画面」の状態となるように携帯端末１が回転された場合は、回転前の状態でラベルイメージ８０が「長辺置き」であったため、プレビュー画面Ｄ２の表示も回転を禁止する（自動回転機能を「無効」とし、ラベルイメージ８０を「長辺置き」のままとする）。これに対し、図１０に示す「縦書き」設定のラベル編集画面Ｄ１からの画面切り替えは、携帯端末１の回転に伴ってラベルイメージ８０が「短辺置き」（図１０（ａ）参照）から「長辺置き」（図１０（ｂ）参照）に変わるため、プレビュー画面Ｄ２の表示も回転させる。
【００５６】
このように（図９，図１０に示すように）、「横画面」のラベル編集画面Ｄ１で画面切り替え操作を行った場合は、「縦書き」設定のときに自動回転機能を「有効」とし、「横書き」設定のときに自動回転機能を「無効」とする。これは、図７，図８に示した「縦画面」のラベル編集画面Ｄ１で画面切り替え操作が行われた場合とは逆の設定となる。
【００５７】
以上説明したとおり、本実施形態によれば、プレビュー画面Ｄ２については、設定された画像の並び方向に応じて自動回転機能の有効／無効を切り替えるため、自動回転機能によって、ラベルイメージ８０の全体が確認できなくなる不具合を解消できる。また、例えばファイルの背表紙に貼り付けるラベルを作成する際にプレビュー画面Ｄ２に表示されたラベルイメージ８０を背表紙と並べて大きさや出来上がりイメージを確認するような場合に、自動回転機能が無効となっていると便利である。一方、ラベル編集画面Ｄ１については、設定された画像の並び方向に関わらず自動回転機能を有効とするため、ユーザーの好みの画面方向（「縦画面」または「横画面」）でラベルの編集を行うことができる。
【００５８】
また、ラベル編集画面Ｄ１から画面方向を維持したままプレビュー画面Ｄ２に切り替えられた場合は、ラベル編集画面Ｄ１の上下方向と、ラベルイメージ８０に表示される画像の上下方向とが一致するようにラベルイメージ８０を配置するため、設定された画像の並び方向によって、ラベルイメージ８０が確認しづらくなるといった不具合を解消できる。また、ラベル編集画面Ｄ１で画面切り替え操作が行われたときから画面方向が変更された場合は、ラベルイメージ８０が「短辺置き」へと変化しないように画像の並び方向に応じて自動回転機能の有効／無効を切り替えるため、ラベル編集画面Ｄ１から画面方向を維持したままプレビュー画面Ｄ２へ切り替えられた場合の視認性を確保しつつも、自動回転機能によりラベルイメージ８０の一部が視認できない状態となることを防止できる。
【００５９】
［変形例］
なお、上記の実施形態に関わらず、以下の変形例を採用可能である。
上記の実施形態では、ラベル編集画面Ｄ１を表示している間は、常に自動回転機能を「有効」に設定する（「縦画面」と「横画面」を切り替える）ものとしたが、「縦画面」および「横画面」のいずれか一方に固定しても良い。また、例えばラベル編集画面Ｄ１を「縦画面」に固定した場合は、「横書き」設定の場合にプレビュー画面Ｄ２の自動回転機能を「有効」とし、「縦書き」設定の場合にプレビュー画面Ｄ２の自動回転機能を「無効」とすれば良い。同様に、ラベル編集画面Ｄ１を「横画面」に固定した場合は、「縦書き」設定の場合にプレビュー画面Ｄ２の自動回転機能を「有効」とし、「横書き」設定の場合にプレビュー画面Ｄ２の自動回転機能を「無効」とすれば良い。
【００６０】
また、上記の実施形態では、「縦画面」且つ「縦書き」設定のラベル編集画面Ｄ１から画面切り替えが行われた場合（図８参照）、および「横画面」且つ「横書き」設定のラベル編集画面Ｄ１から画面切り替えが行われた場合（図９参照）に、自動回転機能を「無効」としたが、当該「無効」切り替え制御を、テープ長（ラベル長）がテープ幅より長くなる場合に限定しても良い。テープ長が短い場合は、プレビュー画面Ｄ２が回転されても、ラベルイメージ８０の一部が欠ける心配がないためである。
【００６１】
また、上記の実施形態では、ラベル編集画面Ｄ１が「縦画面」の場合と「横画面」の場合で編集項目が異なるものとしたが、編集項目の種類や数について、画面方向によらず同様としても良いし、「縦画面」の場合より「横画面」の場合に編集項目を多くしても良い。
【００６２】
また、上記の実施形態のラベル編集画面Ｄ１およびプレビュー画面Ｄ２は、表示画面１１ａの略全体に表示されるものとしたが、表示画面１１ａの一部に表示されても良い。その場合であっても、ラベル編集画面Ｄ１／プレビュー画面Ｄ２のアスペクト比が偏っている場合、上記の実施形態と同様の作用効果を得ることができる。
【００６３】
また、上記の実施形態および変形例に示した印刷システムＳＹ（携帯端末１およびテープ印刷装置３）における各構成要素をプログラムとして提供しても良い。また、そのプログラムを各種記録媒体（ＣＤ−ＲＯＭ、フラッシュメモリー等）に格納して提供しても良い。すなわち、コンピューターを印刷システムＳＹの各構成要素として機能させるためのプログラム、およびそれを記録した記録媒体も、本発明の権利範囲に含まれる。その他、本実施形態の携帯端末１の各部をクラウドコンピューティングで実現するなど、本発明の要旨を逸脱しない範囲で、適宜変更が可能である。
【符号の説明】
【００６４】
１：携帯端末  ３：テープ印刷装置  １１ａ：表示画面  ５１ａ：並び方向設定部  ５２：表示制御部  ６１：編集領域  ６２：編集項目表示領域  ６３：画面切り替えボタン  ７４：並び方向設定ラジオボタン  ８０：ラベルイメージ  Ｄ１：ラベル編集画面  Ｄ２：プレビュー画面  ＳＹ：印刷システム  Ｔ：印刷テープ
【図１】
2016173792.tif 000003
【図２】
2016173792.tif 000004
【図３】
2016173792.tif 000005
【図４】
2016173792.tif 000006
【図５】
2016173792.tif 000007
【図６】
2016173792.tif 000008
【図７】
2016173792.tif 000009
【図８】
2016173792.tif 000010
【図９】
2016173792.tif 000011
【図１０】
2016173792.tif 000012